(57)【要約】【課題】 特に公共施設への設置に適した、オストメイトが排泄処理を行う際の使い勝手を向上するオストメイト用汚物流しユニットを提供することにある。【解決手段】 オストメイト用汚物流しユニット１が、前面に汚物流し部１１０が備わったパネルプレート１００と、汚物流し部１１０上方に位置するシャワー付き水栓（パウチ洗浄用水栓）１３０と、汚物流し部１１０上方に位置するパウチ仮置き台７０と、パネルプレート１００を昇降可能に支持する装置本体２００と、パネルプレートの前面がほぼ鉛直方向に沿って延在するように支えるとともに当該パネルプレートをほぼ鉛直方向に移動可能に支持するガイド支持部２４０及び当該ガイド支持部によって支持されたパネルプレートを所定の昇降上限位置と昇降下限位置との間で昇降させる昇降駆動部２４５を有する装置本体２００と、を備えている。【選択図】 図１
2008092993.tif 000002
【特許請求の範囲】
【請求項１】
前面に汚物流し部が備わったパネルプレートと、
前記パネルプレートの前面がほぼ鉛直方向に沿って延在するように当該パネルプレートを支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
前記パネルプレートの汚物流し部上方に取り付けられたパウチ洗浄用水栓と、
前記パネルプレートの汚物流し部上方に設けられたパウチ仮置き台と、
を備えたことを特徴とするオストメイト用汚物流しユニット。
【請求項２】
前記パウチ仮置き台は、前記パネルプレートよりも奥まった位置に設けられていることを特徴とする請求項１に記載のオストメイト用汚物流しユニット。
【請求項３】
前記パウチ仮置き台は、前記パウチ洗浄用水栓の取り付け位置よりも上方に設けられていることを特徴とする請求項１または２に記載のオストメイト用汚物流しユニット。
【発明の詳細な説明】
【技術分野】
【０００１】
本発明は、人口肛門や人工膀胱などのストーマを付けたオストメイトと呼ばれる人々がストーマから排泄される排泄物を流したり、ストーマに装着したパウチを洗浄したりするのに好適に用いられるオストメイト用汚物流しユニットに関する。
【背景技術】
【０００２】
ストーマを付けたオストメイトと呼ばれる人々がストーマから排泄される排泄物（以下「汚物」とする）を流したり、ストーマに付けたパウチを外して洗浄したりするのに用いられるオストメイト用汚物流しユニットは従来から知られている（例えば、特許文献１参照）。
かかる特許文献１に記載のストーマ便の処理装置は、オストメイトが身に付けたパウチを洗浄するための洗浄器であってオストメイトの身長差に応じてシンクを昇降させ、汚物を処理するようになっている。
より具体的にはこのストーマ便の処理装置は、水平方向に延在した洗面器状のシンクと、そのシンクの底部に接続された排出ホースと、シンクの上面開口部周縁近傍に備わった洗浄用水栓とを有し、シンク自体が水平状態を維持しながら洗浄用水栓とともに支柱に沿って昇降可能となっている。
【特許文献１】特開２００３-５６０１８号公報（２-３頁、図１）
【発明の開示】
【発明が解決しようとする課題】
【０００３】
さて、このようなオストメイト用汚物流しユニットは、駅やデパートやテーマパーク等の公共施設の多目的トイレに設置される場合が多い。多目的トイレとは、車椅子利用者に代表される身体障害者や、高齢者、乳幼児連れの方などに対応したトイレのことであり、車椅子対応の便器やベビーチェアや介護用のベッド等が主に備え付けられる。
【０００４】
オストメイトは、外出先において、パウチに溜まった汚物の処理をする時や新しいパウチに交換する時、また下痢等の体調不良や面板等の装着不良による不本意な汚物漏れに対処する時、多目的トイレに設置されているオストメイト用汚物流しユニットを利用することになる。このような排泄処理作業においては、面板やパウチ等の装備品の交換、ストーマやストーマ廻りの身体洗浄、衣服の着替え、等、３０分程度必要とすることもあり、その間、多目的トイレを独占することになる。
【０００５】
一方、オストメイトは、一般の健常者と変わらない外見をしている為、車椅子利用者等から一般の健常者と誤解され多目的トイレの使用について不本意にも非難され、多目的トイレを使用することに抵抗を感じるほど、心理的ストレスを受けている。すなわち、オストメイトにとって排泄処理作業にかかる時間は、折角の外出の機会における貴重な時間を割かなければいけないと共に、余計な心理的ストレスも生じさせている。
【０００６】
このような状況の中、オストメイトが一番気を使うのは、面板およびパウチの交換作業である。特許文献１に記載の従来型のオストメイト用汚物流しユニットにおいては、オストメイトは、交換作業に必要な、交換用の面板やパウチ、タオル等を置く場所としてテーブル上面を利用することになるが、汚物流し部とシャワーがともに水平のテーブル上面に備わっている構造となっているため、テーブル上面が汚物によって汚れやすく、折角の交換用の面板やパウチが汚れてしまったり、もしくは余計な気を使いながらの使用となってしまったりして、使い勝手の悪いユニットになっている。
【０００７】
本発明の目的は、特に公共施設への設置に適した、オストメイトが排泄処理を行う際の使い勝手を向上するオストメイト用汚物流しユニットを提供することにある。
【課題を解決するための手段】
【０００８】
上述した課題を解決するために、本発明にかかるオストメイト用汚物流しユニットは、
前面に汚物流し部が備わったパネルプレートと、
前記パネルプレートの前面がほぼ鉛直方向に沿って延在するように当該パネルプレートを支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
前記パネルプレートの汚物流し部上方に取り付けられたパウチ洗浄用水栓と、
前記パネルプレートの汚物流し部上方に設けられたパウチ仮置き台と、
を備えたことを特徴としている。
このように構成されたオストメイト用汚物流しユニットにより、利用者の使いやすい高さに汚物流し部を調整することができると共に、パウチ仮置き台の衛生性を確保しつつ汚物流し部と共に昇降するので利用者によらず使い勝手がよく、利用者は安心して使用することができる。
【０００９】
また、本発明の請求項２に記載のオストメイト用汚物流しユニットは、請求項１記載のオストメイト用汚物流しユニットにおいて、
前記パウチ仮置き台が、前記パネルプレートよりも奥まった位置に設けられていることを特徴としている。
このように構成されたオストメイト用汚物流しユニットにより、パネルプレート前面側の作業スペースや視線を確保し、利用者の作業効率を高めることが可能となる。
【００１０】
また、本発明の請求項３に記載のオストメイト用汚物流しユニットは、請求項１または２に記載のオストメイト用汚物流しユニットにおいて、
前記パウチ仮置き台が、前記パウチ洗浄用水栓の取り付け位置よりも上方に設けられていることを特徴としている。
このように構成することにより、よりパウチ仮置き台の衛生性を確保でき、利用者は安心して使用することがきる。
【発明の効果】
【００１１】
本発明のオストメイト用汚物流しユニットによると、利用者の使いやすい高さに汚物流し部を調整することができると共に、パウチ仮置き台の衛生性を確保しつつ汚物流し部と共に昇降するので利用者によらず使い勝手がよく、利用者は安心して使用することができる。
【発明を実施するための最良の形態】
【００１２】
以下、本発明の第一の実施形態にかかるオストメイト用汚物流しユニットについて図面に基づいて説明する。図１は第一の実施形態にかかるオストメイト用汚物流しユニットの斜視図、図２は一部を透視図にしたパネルプレート昇降上限における正面図、図３は側面図、図４は仮置き台が折りたたまれた状態を示す斜視図である。
【００１３】
本発明の第一の実施形態にかかるオストメイト用汚物流しユニット１は、図１乃至図３に示すように、前面に汚物流し部１１０の備わったパネルプレート１００と、汚物流し部１１０上方に位置するシャワー付き水栓（パウチ洗浄用水栓）１３０と、汚物流し部１１０上方に位置するパウチ仮置き台７０と、パネルプレート１００を昇降可能に支持する装置本体２００と、を備えている。装置本体２００内には、汚物流し部１１０の洗浄水を供給するフラッシュバルブ２５０や、シャワー付き水栓１３０に温水を供給する電気温水器２７０が備わっており、これらに水道水を供給する給水配管やこれらを連結する可撓性に優れたホース、また、汚物流し部１１０からの排水を外部に流す排水管２４７が適宜設けられている。
【００１４】
装置本体２００は、パネルプレート１００の前面がほぼ鉛直方向に沿って延在するように支えるとともに当該パネルプレート１００を鉛直方向に移動可能に支持するガイド支持部２４０（図２参照）を備えている。そして、ガイド支持部２４０の内部には当該ガイド支持部２４０によって支持されたパネルプレート１００を所定の昇降上限位置と昇降下限位置との間で昇降させる水圧シリンダ（昇降駆動部）２４５が内蔵されている。
【００１５】
パネルプレート１００は例えば塩ビ鋼板等でできている。パネルプレート１００の前面中央部には陶器でできた汚物流し部１１０が取り付けられている。また、パネルプレート１００の前面には、汚物流し部１１０の上方に、パウチを洗浄したりストーマ周辺を洗浄したりするシャワー付き水栓１３０、交換用の面板やパウチやタオル等を置くパウチ仮置き台７０、水石鹸用タンク２８０、電気温水器２７０からの膨張水排出管１６０、フラッシュバルブ２５０を作動させる洗浄ボタン１５１、ペーパーホルダー１５５が備わっており、パネルプレート１００と一体に昇降するようになっている。なお、ペーパーホルダー１５５にトイレットペーパー１５６を常に装着することで、ストーマ周囲を拭いたり、パウチを拭いたり、身体に付着した汚れを落とすのに適宜使用できるようになっている。
【００１６】
パネルプレート前面に取り付けられた汚物流し部１１０は、汚物を洗浄しやすいように上面が大きく開口してリップ部１１１を形成している。リップ部１１１は、オストメイトがこのリップ部１１１にストーマより５ｃｍ程度下の腹部を押し当てて排泄処理行為を行うのに適した形状、すなわち、排泄処理中に汚物が漏出しても汚物が汚物流し部１１０に自然に入っていく形状となっている。また、汚物流し部１１０の下側内部にはここでは図示しない封水機構が備わり、異臭の発生を防止している。
【００１７】
また、洗浄ボタン１５１を押してフラッシュバルブ２５０を作動させることで、汚物流し用洗浄管１１２を介して汚物流し部１１０に洗浄水を供給し、汚物流し部１１０の内面上部全周に形成されたリム部の穴（図示せず）から洗浄水を流出させて汚物流し部１１０の内側面を適宜洗浄可能となっている。
【００１８】
シャワー付き水栓１３０は、パネルプレート１００前面の汚物流し部１１０上方に設けられており、固定水栓１３１とシャワー１３２を有している。固定水栓１３１は水道水と電気温水器２７０からの湯との混合水栓となっており、洗浄水の温度は固定水栓左側の湯温調整ノブ１３３のひねり量を変えることで適時調整可能となっている。また、シャワー１３２は固定水栓１３１から図示しないホースで連結され、このホースの一部をシャワー取り付け部１３５から引き出すことでシャワー流を任意の位置や方向に噴出させることでできるようになっており、主にオストメイトが服を脱いでストーマやストーマ周辺を洗浄するのに用いられる。また、固定水栓１３１は、主にオストメイトが装着していたパウチを外してパウチ内を洗浄するのに用いられる。
【００１９】
固定水栓１３１とシャワー水栓１３２の吐水切り替え及び吐水流量の調整は、固定水栓右側の切り替えノブ１３４を操作することで行うようになっている。また、固定水栓１３１の蛇口は水平方向に回転自在となっており、汚物流し部内壁底面の適当な位置に洗浄水を吐水させることができるようになっている。
【００２０】
装置本体２００は、その外側部が前板及び側板に例えば木材でできた合板を用いてできているとともに、甲板と呼ばれる天板（荷物載置用平坦部）２０１にある程度強度のある
樹脂性の合板を用いてできている。なお、パネルプレート１００は上限位置に達したとき、天板２０１の形成面より上方に突出せず、天板上に荷物や着替え等を載せておけるようになっている。
【００２１】
そして、装置本体２００の内部には、図２に点線で示すように、パネルプレート１００をその上限位置と下限位置との間で昇降させる水圧シリンダ２４５を内蔵したガイド支持部２４０が備わっている。この上限位置は汚物流し部１１０のリップ部１１１が図２に示す高さＨにある位置で、この下限位置は汚物流し部１１０のリップ部１１１が同図に示す高さＬにある位置である。
【００２２】
なお、水圧シリンダ２４５は本実施形態では洗浄水として使用する一次側水道水の水圧をそのまま利用して昇降駆動するようになっているが、必ずしもこれに限定されず、例えばポンプ等を介して水圧を印加するようにしても良い。また、水圧を利用することに限定されず、電動モータと減速機構の組み合わせやエアシリンダなどを用いてパネルプレート１００をガイド支持部２４０に沿って昇降させるようにしても良い。
【００２３】
また、装置本体２００の内部下方には、図２に点線で示すように、汚物流し部１１０からの汚物を洗浄水とともに装置本体外部に流す排水管２４７が備わっている。排水管２４７は、一部がいわゆるテレスコープタイプの伸縮自在で水密性に優れた管構造を備え、汚物流し部１１０が上限位置と下限位置との間のいかなる位置にあっても汚物を洗浄水とともに確実に排出するようになっている。なお、排水管としては、昇降動作に追従するものであれば、蛇腹タイプのものであっても良く、また、テレスコープタイプと蛇腹タイプの複合型であっても良い。
【００２４】
また、装置本体２００の前面左側部２３０にはその上方にフック２３１が備わっており、帽子や衣類等を引っ掛けておけるようになっている。
【００２５】
装置本体内部の前面視右側上方にはフラッシュバルブ２５０が備わっている。フラッシュバルブ２５０は、汚物流し部１１０に付着した汚物を一次側水道水の水圧を利用して一気に洗い流すためのものである。フラッシュバルブ２５０下部にはバキュームブレーカ２６０が備わっており、フラッシュバルブ２５０の左側側部は一次側水道水の配管２５２に連結されている。バキュームブレーカ２６０は、汚物流し部１１０が上限位置にあるときに汚物流し部１１０のリップ部１１１よりも上方に位置するように装置本体に取り付けられている。こうすることで、パネルプレート１００が昇降上限位置から昇降下限位置までのどの位置で停止していても、汚水がバキュームブレーカ２６０から漏れることがなく、バキュームブレーカ２６０よりも上流側が汚水によって汚されることを確実に防ぐことができる。
【００２６】
装置本体内部の前面視左側中央部分には電気温水器２７０が備わっており、電気温水器２７０の出湯口２７１とシャワー付き水栓１３０は、汚物流し部１１０の上限位置と下限位置との間で十分撓んで対応可能な可撓性を有するホース（図示せず）で連結されている。
【００２７】
このとき、電気温水器２７０の出湯口２７１は、シャワー付き水栓１３０の給湯接続部（図示せず）の昇降上限位置と昇降下限位置とのほぼ中間に位置する高さに配置されるのが好ましい。このようにすることで、シャワー付き水栓１３０がパネルプレート１００と共に上限位置と下限位置で昇降移動するにも係わらず、シャワー付き水栓１３０と出湯口２７１とを連結する可撓性ホースの長さを最小限にすることができ、ホースを通過するときの温水の温度低下を最小限に抑えることができるため、効率よく、又、冬場においても快適にシャワーを使用することができる。
【００２８】
パウチ仮置き台７０は、パネルプレート１００前面の汚物流し部１１０上方に設けられており、パネルプレート１００に固定されたパウチ仮置き台支持部８０に嵌合支持され、図４に示すように折りたたむことができるようになっている。すなわち、利用者は必要に応じてパウチ仮置き台７０を水平にしパウチ等を置けばよく、未使用時には垂直にしておくことで掃除の際などの不用意な衝突を避けることができる。
また、パウチ仮置き台７０は、パネルプレート１００に設けられているので、利用者による昇降位置の差に関わらず汚物流し部１１０との位置関係は変わらず、利用者の使い勝手を維持できる。
【００２９】
続いて、このような構成を有するオストメイト用汚物流しユニット１の作用について説明する。かかるオストメイト用汚物流しユニット１は駅やデパートやテーマパーク等の公共施設の多目的トイレに設置され、不特定多数のオストメイトによって利用される。
【００３０】
このオストメイト用汚物流しユニット１をオストメイトが使用するにあたって、ジャケットなどの衣類をフック２３１に引っ掛けるとともに、荷物や着替えをユニット上面の天板２０１に載せておく。また、交換用のパウチや剥離材、タオルをパウチ仮置き台７０に置いておき、パウチを洗浄したりストーマ廻りを洗浄したりする排泄処理動作をしている最中であっても、これらを直ぐに手で取れるようにしておく。
【００３１】
そして、水圧シリンダ２４５を駆動させて汚物流し部１１０のリップ部１１１が例えばオストメイトのストーマの５ｃｍ程度下に位置するような適切な高さまで汚物流し部１１０を昇降させる。
【００３２】
なお、汚物流し部１１０を仮に昇降上限位置まで上昇させてもパネルプレート１００は天板２０１よりも上側に突出することはないので、天板２０１に乗せた荷物や着替えが誤って落ちる心配はない。
【００３３】
オストメイトは、汚物流し部１１０を最適な高さまで昇降させた後に、身体に装着していたパウチを外して、シャワー付き水栓１３０を用いて、パウチからの汚物の排出、パウチ内部の洗浄、ストーマ及びその周辺の洗浄といった排泄処理作業を行うが、この際、オストメイトは、ストーマの５ｃｍ程度下を汚物流し部１１０のリップ部１１１に押し付けて作業をおこなう。これは、ストーマやストーマ廻りの洗浄の際の洗浄水をできるだけ汚物流し１１０内に落とし込むためと、ストーマからの予期せぬ汚物の排出に備えているためである。また、この際、体を安定させるためおよびストーマをよく見るため、オストメイトは汚物流しに寄りかかるように前屈みになって作業をおこなう。図１６は、オストメイトがストーマ廻りの洗浄動作を行っている様子を示す模式図である。すなわち、オストメイトはパウチを外している間、ストーマ下をリップ部１１１に押し付けたままの状態で作業を行っている。
【００３４】
ここで、フロアレベルからのストーマ位置は、オストメイト各個人の体格や手術部の位置によってそれぞれ異なる。本実施例では、リップ部１１１の位置が昇降することにより各個人の使いやすい高さに変えられるため、オストメイト各個人に楽な姿勢での排泄処理作業を実現し、作業効率の向上を実現できる。
【００３５】
またこのとき、従来構造のオストメイト用汚物流しユニットのように汚物流し部を備えたテーブルが水平方向に支持された状態で昇降するようになっていると、汚物がテーブル上面に付着して乾燥してしまい、特にパブリックスペースにおいて使用する頻度の高いオストメイト用汚物流しユニットとしては衛生上好ましくない。しかしながら、本実施形態のようなオストメイト用汚物流しユニット１のようにパネルプレート１００の前面がほぼ鉛直方向に沿って延在する構成にすると、パネルプレート１００に汚物が付着しにくく、衛生的でありパブリックスペースにおいて特に好適に使用できる。
【００３６】
また、ストーマからの汚物排出中においてオストメイトの体調によって例えば下痢の際など汚物がストーマから勢い良く飛び出すことがあり、洗い方によっては周囲に飛び散ることもあるが、シャワー付き水栓１３０は汚物流し部１１０より上方に配置されているので、このような場合であっても汚物がシャワー付き水栓１３０に付着することはなく、衛生性を確保できる。
【００３７】
また、シャワー１３２を引き出さない状態でのシャワー付き水栓１３０の吐水方向が汚物流し部１１０の内壁部に向かうようにシャワー付き水栓１３０は取り付けられているため、予期せぬ方向に洗浄水が吐水することがなく、衛生上好ましいと共に、安心した作業が確保されている。
【００３８】
また、電気温水器２７０を備えており、シャワー付き水栓１３０には温水が供給され、オストメイトの好みに応じた湯温の洗浄水を供給できる。パウチ内やストーマ廻りを洗浄するとき、体液を含む汚物を洗い流すには温水が有効であり、汚物を洗浄する洗浄能力を向上させ、排泄処理時間の短縮を実現できる。また、冬場の使用を考慮すると、温水を利用できることは、オストメイトにとって非常に有益である。
【００３９】
そして、シャワー付き水栓１３０を用いてストーマ及びその周辺を洗った後、トイレットペーパー１５６やパウチ仮置き台７０に置いたタオルでストーマやその周辺に付いた洗浄水を拭き取り、洗浄し終えたパウチもしくは新しいパウチをストーマに取り付ける。
【００４０】
ここで、パウチ仮置き台７０が汚物流し部１１０の上面開口部であるリップ部１１１よりも上方に設けられているので、下痢などの場合であっても汚物がパウチ仮置き台７０に付着することはなく衛生性を確保でき、また汚物流し部１１０からの洗浄水のはね返りによる汚染を防ぐこともできる。その結果、このパウチ仮置き台７０に新しいパウチやタオルを安心して置いておくことができる。また、パウチ仮置き台７０は昇降動作に追従するため、オストメイトがストーマの洗浄中や洗浄直後に、視線を過度に動かしたり体に負担をかけることなく、新しいパウチやタオルを容易に取ることができる。これにより、オストメイト用汚物流しユニット１の使い勝手が良くなり、排泄処理の作業効率の向上を実現できる。
【００４１】
そして、洗浄水をシャワー付き水栓１３０から流出させると同時又はその後に洗浄ボタン１５１を押してフラッシュバルブ２５０を作動させて汚物流し部内壁面を洗い流すとともに、配水管２４７を介して汚物をユニット外部に一気に排出する。
【００４２】
このように、本発明の第一の実施形態にかかるオストメイト用汚物流しユニット１によると、利用者の使いやすい高さに汚物流し部１１０を調整することで排泄処理の作業効率を高め、シャワー付き水栓１３０とパウチ仮置き台７０を汚物流し部１１０の上方に設けることで衛生性を確保し、オストメイトは排泄処理を効率よく安心して行うことができる。
【００４３】
次に、本発明の第二の実施形態にかかるオストメイト用汚物流しユニットについて図面に基づいて説明する。図５は第二の実施形態にかかるオストメイト用汚物流しユニットの斜視図である。尚、前述の実施形態と同様の要素に関しては、同一の符号を付して詳細な説明は省略する。
【００４４】
本発明の第二の実施形態にかかるオストメイト用汚物流しユニット２は、図５に示すように、前面に汚物流し部１１０の備わったパネルプレート１００と、汚物流し部１１０上方に位置するシャワー付き水栓（パウチ洗浄用水栓）１３０と、汚物流し部１１０上方に位置するパウチ仮置き台７１と、パネルプレート１００を昇降可能に支持する装置本体２００と、を備えている。装置本体２００内には、前述同様、パネルプレートを昇降させる駆動部や、洗浄水を供給するフラッシュバルブ、温水を供給する電気温水器、水道水を供給する給水配管やこれらを連結する可撓性に優れたホース、排水管などが適宜設けられている。
【００４５】
前述同様、パネルプレート１００は、前面がほぼ鉛直方向に沿って延在するよう支えられており、汚物等が付着しにくい。また、汚物流し部１１０上方にシャワー付き水栓１３０が取り付けられており、シャワー付き水栓１３０の衛生性を確保できることも前述同様である。
【００４６】
パウチ仮置き台７１は、パネルプレート１００と逆Ｌ字をなすように連結されており、
パネルプレート１００の上面の天板としてパネルプレート１００と一緒に昇降する。パネルプレート１００には、前面中央に汚物流し部１１０が取り付けられ、その上方にシャワー付き水栓１３０が取り付けられ、そしてその上方にパウチ仮置き台７１が設けられており、パネルプレート１００と共にそれぞれの位置関係を維持しつつ昇降することができる。
【００４７】
このように構成されたパウチ仮置き台７１は、汚物流し部１１０およびシャワー付き水栓１３０よりも上方に位置するため、汚物に汚染されにくいと共に、シャワー付き水栓１３０からの吐水が不用意にも垂れたり掛かってしまったりすることがなく、交換用の面板やパウチ、タオル等を置くのに最適であり、利用者は安心して排泄処理作業を行うことができる。また、昇降動作に係わらず汚物流し部との位置関係を維持できるので、排泄処理作業空間に近い位置に仮置きでき、どの利用者にとっても利便性が高いユニットとなる。
【００４８】
また、パウチ仮置き台７１はパネルプレート１００の前面から奥まった方向に延在して設けられているので、利用者が不用意に頭などをぶつけたりすることなく安全であり、また排泄処理作業の際の視線や作業スペースを確保でき利用者の作業効率を高めることができる。
【００４９】
このように、本発明の第二の実施形態にかかるオストメイト用汚物流しユニット２によると、利用者の使いやすい高さに汚物流し部１１０を調整することで排泄処理の作業効率を高め、シャワー付き水栓１３０を汚物流し部１１０の上方に設けることで衛生性を確保し、パウチ仮置き台７１をシャワー付き水栓１３０の上方に奥まった位置に設けることで衛生性の高いドライエリアを確保しつつ視線や作業スペースを確保し、オストメイトは排泄処理を効率よく安心して行うことができる。
【００５０】
次に、本発明の第三の実施形態にかかるオストメイト用汚物流しユニットについて図面に基づいて説明する。図６は第三の実施形態にかかるオストメイト用汚物流しユニットの斜視図、図７は一部を透視図にしたパネルプレート昇降上限における正面図、図８は一部を透視図にしたパネルプレート昇降上限における側面図である。尚、前述の実施形態と同様の要素に関しては、同一の符号を付して詳細な説明は省略する。
【００５１】
本発明の第三の実施形態にかかるオストメイト用汚物流しユニット３は、図６乃至図８に示すように、前面に汚物流し部１１０の備わったパネルプレート１００と、汚物流し部１１０上方に位置するシャワー水栓（パウチ洗浄用水栓）１２０と、汚物流し部１１０上方に位置するパウチ仮置き台７２と、パネルプレート１００を昇降可能に支持する装置本体２００と、を備えている。装置本体２００内には、汚物流し部１１０の洗浄水を供給するフラッシュバルブ２５０や、シャワー水栓１２０に温水を供給する電気温水器２７０が備わっており、これらに水道水を供給する給水配管やこれらを連結する可撓性に優れたホース、また、汚物流し部１１０からの排水を外部に流す排水管２４７が適宜設けられている。
【００５２】
装置本体２００は、パネルプレート１００の前面がほぼ鉛直方向に沿って延在するように支えるとともに当該パネルプレート１００を鉛直方向に移動可能に支持するガイド支持部２４０（図７参照）を備えている。そして、ガイド支持部２４０の内部には当該ガイド支持部２４０によって支持されたパネルプレート１００を所定の昇降上限位置と昇降下限位置との間で昇降させる水圧シリンダ（昇降駆動部）２４５が内蔵されている。
【００５３】
パネルプレート１００は例えば塩ビ鋼板等でできており、一部が突出した略矩形形状を有している。パネルプレート１００の前面中央部には陶器でできた汚物流し部１１０が取り付けられている。また、汚物流し部１１０の上方であってオストメイト用汚物流しユニット１の天板２０１から所定量下方においてパウチ仮置き台７２がパネルプレート１００と直交してパネルプレート１００の前面から奥まる方向に水平に延在している。また、汚物流し部１１０に洗浄水を流したりパウチを洗浄したりするシャワー水栓１２０がこのパウチ仮置き台７２のパネルプレート側前方縁部近傍に備わっている。そして、このパウチ仮置き台７２とシャワー水栓１２０がパネルプレート１００と一体に昇降するようになっている。
【００５４】
パネルプレート前面に取り付けられた汚物流し部１１０は汚物を洗浄しやすいように上面が大きく開口してリップ部１１１を形成している。リップ部１１１は、オストメイトがこのリップ部１１１にストーマより５ｃｍ程度下の腹部を押し当てて排泄処理行為を行うのに適した形状、すなわち、排泄処理中に汚物が漏出しても汚物が汚物流し部１１０に自然に入っていく形状となっている。また、汚物流し部１１０の下側内部にはここでは図示しない封水機構が備わり、異臭の発生を防止している。
【００５５】
また、フラッシュバルブ２５０を作動させることで、汚物流し用洗浄管１１２を介して汚物流し部１１０に洗浄水を供給し、汚物流し部１１０の内面上部全周に形成されたリム部の穴（図示せず）から洗浄水を流出させて汚物流し部１１０の内側面を適宜洗浄可能となっている。
【００５６】
シャワー水栓１２０は、図６に示すように、パネルプレート前面の汚物流し部１１０の上方であってこのパネルプレート前面よりも奥まった位置に取り付けられている。さらに、図９に示すように、水栓取り付け部１２１から吐水部１２５をホース１２２とともに引き出して使用することができ、洗浄水を所望の向きで流出させることを可能としている。吐水部１２５が水栓取り付け部１２１に装着されている状態では、吐水部１２５は洗浄水が汚物流し部１１０内に落下するよう若干前向きに傾斜して設置されており、オストメイトが装着していたパウチを外してパウチ内を洗浄するのに適している。また、吐水部１２５を引き出して使用する場合は、オストメイトが服を脱いでストーマやストーマ周辺を洗ったり、汚物流し部１１０内部を局所的に洗浄するのに適している。
【００５７】
そして、シャワー水栓１２０は、水道水と電気温水器２７０の湯の混合水栓となっており、温度調節と流量調節を兼ねる温調流調部である湯温流量調整ノブ１２３を有している。洗浄水の温度は、シャワー水栓１２０の湯温流量調整ノブ１２３の左右ひねり量を変えることで適時調整可能となっており、洗浄水の流量は、シャワー水栓１２０の湯温流量調整ノブ１２３の引き起こし量を変えることで適時調整可能となっている。
【００５８】
装置本体２００は、その外側部が前板及び側板に例えば木材でできた合板を用いてできているとともに、甲板と呼ばれる天板（荷物載置用平坦部）２０１にある程度強度のある
樹脂性の合板を用いてできている。
なお、天板２０１はパネルプレート１００が上限位置に達したとき、パネルプレート上端において奥まった位置に備わったシャワー水栓１２０の上部が天板２０１の下面と若干の隙間を隔ててぶつからないようになっている（図７参照）。また、パネルプレート１００の右側上部をなすフラッシュバルブ操作部側端部１０２（図６参照）はパネルプレート１００のパウチ仮置き台７２よりも上方に突出しているが、パネルプレート上限位置においてこのフラッシュバルブ操作部側端部１０２が天板２０１の形成面よりも上方に突出せず、天板上に荷物や着替え等を載せておけるようになっている。
【００５９】
そして、装置本体２００の内部には、図７に点線で示すように、パネルプレート１００をその上限位置と下限位置との間で昇降させる水圧シリンダ２４５を内蔵したガイド支持部２４０が備わっている。この上限位置は汚物流し部１１０のリップ部１１１が図７に示す高さＨにある位置で、この下限位置は汚物流し部１１０のリップ部１１１が同図に示す高さＬにある位置である。
【００６０】
なお、水圧シリンダ２４５は本実施形態では洗浄水として使用する一次側水道水の水圧をそのまま利用して昇降駆動するようになっているが、必ずしもこれに限定されず、例えばポンプ等を介して水圧を印加するようにしても良い。また、水圧を利用することに限定されず、電動モータと減速機構の組み合わせやエアシリンダなどを用いてパネルプレート１００をガイド支持部２４０に沿って昇降させるようにしても良い。
【００６１】
また、装置本体２００の内部下方には、図７に点線で示すように、ガイド支持部２４０に挟まれた位置に汚物流し部１１０からの汚物を洗浄水とともに装置本体外部に流す排水管２４７が備わっている。排水管２４７は、一部がいわゆるテレスコープタイプの伸縮自在で水密性に優れた管構造を備え、汚物流し部１１０が上限位置と下限位置との間のいかなる位置にあっても汚物を洗浄水とともに確実に排出するようになっている。なお、排水管としては、昇降動作に追従するものであれば、蛇腹タイプのものであっても良く、また、テレスコープタイプと蛇腹タイプの複合型であっても良い。
【００６２】
また、パネルプレート１００のフラッシュバルブ操作部側端部１０２には、図６に示すように、フラッシュバルブ２５０作動用の洗浄ボタン１５１が備わり、この下方には汚物拭き取り用のトイレットペーパー１５６を保持するペーパーホルダー１５５が備わっている。なお、ペーパーホルダー１５５にトイレットペーパー１５６を常に装着することで、ストーマ周囲を拭いたり、パウチを拭いたり、身体に付着した汚れを落とすのに適宜使用できるようになっている。
【００６３】
また、装置本体２００の前面左側部２３０にはその上方にフック２３１が備わっており、帽子や衣類等を引っ掛けておけるようになっている。
また、汚れた手等を効率良く洗浄するために、パネルプレート１００やパウチ仮置き台７２に水石鹸用タンクを備えていても良い。
【００６４】
装置本体内部の前面視右側上方にはフラッシュバルブ２５０が備わっている。フラッシュバルブ２５０は、汚物流し部１１０に付着した汚物を一次側水道水の水圧を利用して一気に洗い流すためのもので、前述した洗浄ボタン１５１を押すことで、洗浄水が汚物流し用洗浄管１１２を介して汚物流し部１１０の内面上部全周に形成されたリム部の穴（図示せず）から汚物流し部内側面全体にわたって一定時間流出するようになっている。
【００６５】
なお、フラッシュバルブ２５０には、図７に示すように、その下部にバキュームブレーカ２６０が備わっており、フラッシュバルブ２５０の左側側部は一次側水道水の配管２５２に連結されている。バキュームブレーカ２６０は、汚物流し部１１０が上限位置にあるときに汚物流し部１１０のリップ部１１１よりも上方に位置するように装置本体に取り付けられている。こうすることで、パネルプレート１００が昇降上限位置から昇降下限位置までのどの位置で停止していても、汚水がバキュームブレーカ２６０から漏れることがなく、バキュームブレーカ２６０よりも上流側が汚水によって汚されることを確実に防ぐことができる。
【００６６】
一方、電気温水器２７０は、図７に点線で示すように、装置本体内部の前面視左側中央部分に備わっており、電気温水器２７０の出湯口２７１とシャワー水栓１２０は、汚物流し部１１０の上限位置と下限位置との間で十分撓んで対応可能な可撓性を有するホース（図示せず）で連結されている。
【００６７】
このとき、電気温水器２７０の出湯口２７１は、シャワー水栓１２０の給湯接続部（図示せず）の昇降上限位置と昇降下限位置とのほぼ中間に位置する高さに配置されるのが好ましい。このようにすることで、シャワー水栓１２０がパネルプレート１００と共に上限位置と下限位置で昇降移動するにも係わらず、シャワー水栓１２０と出湯口２７１とを連結する可撓性ホースの長さを最小限にすることができ、ホースを通過するときの温水の温度低下を最小限に抑えることができるため、効率よく、又、冬場においても快適にシャワーを使用することができる。
【００６８】
続いて、このような構成を有するオストメイト用汚物流しユニット３の作用について説明する。かかるオストメイト用汚物流しユニット３は駅やデパートやテーマパーク等の公共施設の多目的トイレに設置され、不特定多数のオストメイトによって利用される。
【００６９】
このオストメイト用汚物流しユニット３をオストメイトが使用するにあたって、ジャケットなどの衣類をフック２３１に引っ掛けるとともに、荷物や着替えをユニット上面の天板２０１に載せておく。また、交換用のパウチや剥離材、タオルをパウチ仮置き台７２に置いておき、パウチを洗浄したりストーマ廻りを洗浄したりする排泄処理動作をしている最中であっても、これらを直ぐに手で取れるようにしておく。
【００７０】
そして、水圧シリンダ２４５を駆動させて汚物流し部１１０のリップ部１１１が例えばオストメイトのストーマの５ｃｍ程度下に位置するような適切な高さまで汚物流し部１１０を昇降させる。
【００７１】
なお、汚物流し部１１０を仮に昇降上限位置まで上昇させてもパネルプレート１００のフラッシュバルブ操作部側端部１０２は天板２０１よりも上側に突出することはないので、天板２０１に乗せた荷物や着替えが誤って落ちる心配はない。
【００７２】
また、仮にこれらの荷物が不意にパネルプレート前面前方に落ちてきても、シャワー水栓１２０はパネルプレート前面よりも奥まった位置に取り付けられているので、これらの荷物がシャワー水栓１２０の湯温流量調整ノブ１２３にぶつかって急に洗浄水が出たり止まったりすることはない。
【００７３】
オストメイトは、汚物流し部１１０を最適な高さまで昇降させた後に、身体に装着していたパウチを外して、シャワー水栓１２０を用いて、パウチからの汚物の排出、パウチ内部の洗浄、ストーマ及びその周辺の洗浄といった排泄処理作業を行うが、この際、オストメイトは、ストーマの５ｃｍ程度下を汚物流し部１１０のリップ部１１１に押し付けて作業をおこなう。これは、ストーマやストーマ廻りの洗浄の際の洗浄水をできるだけ汚物流し１１０内に落とし込むためと、ストーマからの予期せぬ汚物の排出に備えているためである。また、この際、体を安定させるためおよびストーマをよく見るため、オストメイトは汚物流しに寄りかかるように前屈みになって作業をおこなう。図１６は、オストメイトがストーマ廻りの洗浄動作を行っている様子を示す模式図である。すなわち、オストメイトはパウチを外している間、ストーマ下をリップ部１１１に押し付けたままの状態で作業を行っている。
【００７４】
ここで、フロアレベルからのストーマ位置は、オストメイト各個人の体格や手術部の位置によってそれぞれ異なる。本実施例では、リップ部１１１の位置が昇降することにより各個人の使いやすい高さに変えられるため、オストメイト各個人に楽な姿勢での排泄処理作業を実現し、作業効率の向上を実現できる。
【００７５】
またこのとき、従来構造のオストメイト用汚物流しユニットのように汚物流し部を備えたテーブルが水平方向に支持された状態で昇降するようになっていると、汚物がテーブル上面に付着して乾燥してしまい、特にパブリックスペースにおいて使用する頻度の高いオストメイト用汚物流しユニットとしては衛生上好ましくない。しかしながら、本実施形態のようなオストメイト用汚物流しユニット１のようにパネルプレート１００の前面がほぼ鉛直方向に沿って延在する構成にすると、パネルプレート１００に汚物が付着しにくく、衛生的でありパブリックスペースにおいて特に好適に使用できる。
【００７６】
また、ストーマからの汚物排出中においてオストメイトの体調によって例えば下痢の際など汚物がストーマから勢い良く飛び出すことがあり、洗い方によっては周囲に飛び散ることもあるが、シャワー水栓１２０は汚物流し部１１０より上方に配置されているので、このような場合であっても汚物がシャワー水栓１２０に付着することはなく、衛生性を確保できる。
【００７７】
また、ホースを引き出さない状態でのシャワー水栓１２０の吐水方向が図８に示すように汚物流し部１１０の内壁部に向かうようにシャワー水栓１２０が取り付けられているため、予期せぬ方向に洗浄水が吐水することがなく、衛生上好ましいと共に、安心した作業が確保されている。
【００７８】
また、シャワー水栓１２０が汚物流し部１１０の上方でパネルプレート前面よりも奥まった位置に取り付けられているので、図１６のように排泄処理作業時に、オストメイトが汚物流し部１１０にストーマ下を押し当てて前屈みになっても、シャワー水栓１２０の吐水部がパネルプレート前面より平面視において少量しか突出しておらず、オストメイトの胸や顔にぶつかったり視線の邪魔になったりすることがなく、作業スペースを確保でき、排泄処理動作を行い易くすることができ、作業効率の向上を実現できる。
【００７９】
また、電気温水器２７０を備えており、シャワー水栓１２０には温水が供給され、オストメイトの好みに応じた湯温の洗浄水を供給できる。パウチ内やストーマ廻りを洗浄するとき、体液を含む汚物を洗い流すには温水が有効であり、汚物を洗浄する洗浄能力を向上させ、排泄処理時間の短縮を実現できる。また、冬場の使用を考慮すると、温水を利用できることは、オストメイトにとって非常に有益である。
【００８０】
そして、シャワー水栓１２０を用いてストーマ及びその周辺を洗った後、トイレットペーパー１５６やパウチ仮置き台７２に置いたタオルでストーマやその周辺に付いた洗浄水を拭き取り、洗浄し終えたパウチもしくは新しいパウチをストーマに取り付ける。
【００８１】
ここで、パウチ仮置き台７２が汚物流し部１１０の上面開口部であるリップ部１１１よりも上方に設けられているので、下痢などの場合であっても汚物がパウチ仮置き台７２に付着することはなく衛生性を確保でき、また汚物流し部１１０からの洗浄水のはね返りによる汚染を防ぐこともできる。その結果、このパウチ仮置き台７２に新しいパウチやタオルを安心して置いておくことができる。また、パウチ仮置き台７２は昇降動作に追従し、オストメイトがストーマの洗浄中や洗浄直後に新しいパウチやタオルを容易に取ることができるので、オストメイト用汚物流しユニット１の使い勝手が良くなり、排泄処理の作業効率の向上を実現している。
また、パウチ仮置き台７２はパネルプレート１００の前面から奥まった方向に延在して設けられているので、利用者が不用意に頭などをぶつけたりすることなく安全であり、また排泄処理作業の際の視線や作業スペースを確保でき利用者の作業効率を高めることができる。
【００８２】
そして、洗浄水をシャワー水栓１２０から流出させると同時又はその後に洗浄ボタン１５１を押してフラッシュバルブ２５０を作動させて汚物流し部内壁面を洗い流すとともに、配水管２４７を介して汚物をユニット外部に一気に排出する。
【００８３】
このように、本発明の第三の実施形態にかかるオストメイト用汚物流しユニット３によると、利用者の使いやすい高さに汚物流し部１１０を調整することで排泄処理の作業効率を高め、シャワー水栓１２０を汚物流し部１１０の上方のパウチ仮置き台７２に取り付け衛生性を確保すると共に作業スペースを確保することにより作業効率を高め、パウチ仮置き台７２を汚物流し部１１０の上方に奥まった位置に設けることで衛生性を確保すると共に視線や作業スペースを確保し、オストメイトは排泄処理を効率よく安心して行うことができる。
【００８４】
次に、第三の実施形態にかかるオストメイト用汚物流しユニットの第１変形例について図面に基づいて説明する。図１０は、本発明の第三の実施形態にかかるオストメイト用汚物流しユニットの第１変形例の斜視図であり、図１１は、図１０に示したオストメイト用汚物流しユニットの仮置き台が折りたたまれた状態を示す斜視図である。尚、前述の実施形態と同様の要素に関しては、同一の符号を付して詳細な説明は省略する。
【００８５】
第三実施形態の第１変形例であるオストメイト用汚物流しユニット４は、汚物流し部１１０上方のパネルプレート前面に折りたたみ可能なパウチ仮置き台７０が設けられており、パネルプレート１００に固定されたパウチ仮置き台支持部８０に嵌合支持され、図１１に示すように折りたたむことができるようになっている。すなわち、利用者は必要に応じてパウチ仮置き台７０を水平にしパウチ等を置けばよく、未使用時には垂直にしておくことで掃除の際などの不用意な衝突を避けることができる。
【００８６】
このようなパウチ仮置き台７０も、汚物流し部１１０よりも上方に設けられているので、下痢などの場合であっても汚物がパウチ仮置き台７０に付着することなく衛生性を確保でき、また汚物流し部１１０からの洗浄水のはね返りによる汚染も防ぐことができる。その結果、このパウチ仮置き台７２に新しいパウチやタオルを安心して置いておくことができる。また、パウチ仮置き台７２は昇降動作に追従し、オストメイトがストーマの洗浄中や洗浄直後に新しいパウチやタオルを容易に取ることができるので、オストメイト用汚物流しユニット１の使い勝手が良くなり、排泄処理の作業効率の向上を実現している。
【００８７】
次に、第三の実施形態にかかるオストメイト用汚物流しユニットの第２変形例について図面に基づいて説明する。図１２は、本発明の第三の実施形態にかかるオストメイト用汚物流しユニットの第２変形例の斜視図である。尚、前述の実施形態と同様の要素に関しては、同一の符号を付して詳細な説明は省略する。
【００８８】
第三実施形態の第２変形例であるオストメイト用汚物流しユニット５は、汚物流し部１１０上方のパネルプレート前面から奥まった位置に水平に延在しその一部が上方に持ち上がっているパウチ仮置き台７２を有している。そして、シャワー水栓１２０が、シャワー水栓仮置き台７２に取り付けられている。
【００８９】
このようなパウチ仮置き台７２は、シャワー水栓１２０の取り付け棚位置よりも上方に設けられた部分を有しているため、シャワー水栓１２０からの吐水が不用意にも垂れたり掛かってしまったりすることがなく、交換用の面板やパウチ、タオル等を置くのに最適であり、利用者は安心して排泄処理作業を行うことができる。さらには、シャワー水栓１２０の固定状態での吐水高さよりも高い位置にパウチ仮置き台７２を設ければ、より衛生性を高めることができ好ましい。
【００９０】
次に、本発明の第四の実施形態にかかるオストメイト用汚物流しユニットについて図面に基づいて説明する。図１３は、第四の実施形態にかかるオストメイト用汚物流しユニットの斜視図を、図１４はその正面図を、図１５はその側面図を示す。尚、図１３乃至図１５は、昇降範囲のおよそ中間位置での図である。尚、前述の実施形態と同様の要素に関しては、同一の符号を付して詳細な説明は省略する。
【００９１】
本発明の第四の実施形態にかかるオストメイト用汚物流しユニット６は、図１３乃至図１５に示すように、リップ部１１１を有する汚物流し部１１０を前面に備わったパネルプレート１００と、汚物流し部１１０上方に位置するシャワー水栓（パウチ洗浄用水栓）１２０と、シャワー水栓１２０上方に位置するパウチ仮置き台７５と、パネルプレート１００を昇降可能に支持する装置本体２００と、を備えている。尚、シャワー水栓１２０は、パネルプレート１００の前面に配設された水栓取り付け部１２１と湯温流調調整ノブ１２３（温調流調部）と吐水部１２５と、パネルプレート１００の背面に隠蔽された湯水混合部１２４と、からなる。
【００９２】
装置本体２００内には、汚物流し部１１０の洗浄水を供給するフラッシュバルブ（図示せず）や、シャワー水栓１２０に温水を供給する電気温水器２７０が備わっており、これらに水道水を供給する給水配管やこれらを連結する可撓性に優れたホース、また、汚物流し部１１０からの排水を外部に流す排水管２４７が適宜設けられている。
【００９３】
装置本体２００は、パネルプレート１００を鉛直方向に移動可能に支持するガイド支持部２４０を備え、ガイド支持部２４０内部にはパネルプレート１００を所定の昇降上限位置と昇降下限位置との間で昇降させる水圧シリンダ（昇降駆動部）２４５が内蔵されている。また、荷物搭載用平坦部である天板２０１、フック２３１を備えている。
【００９４】
パネルプレート１００の前面には、フラッシュバルブ作動用の洗浄ボタン１５１と、ペーパーホルダー１５５およびトイレットペーパー１５６、汚物流し部１１０、汚物流し部１１０に洗浄水を供給する汚物流し用洗浄管１１２、水石鹸タンク２８０、そしてシャワー水栓１２０の水栓取り付け部１２１と湯温流調調整ノブ１２３と吐水部１２５、が配設されている。
【００９５】
また、汚物流し部１１０の上方であって天板２０１から所定量下方においてパウチ仮置き台７５がパネルプレート１００と直交してパネルプレート１００の前面から奥まる方向に水平に延在している。
【００９６】
水圧シリンダ２４５によってパネルプレート１００は昇降されるが、昇降上限位置にあっても、パネルプレート１００右上端にあるフラッシュバルブ操作部側端部が天板２０１よりも上方に突出しないように設計されており、天板２０１に乗せた荷物や着替えが誤って落ちる心配はない。
【００９７】
また、昇降上限位置にあっても、パウチ仮置き台７５と天板２０１の間には所定量距離があるよう設計されている。これにより、パウチやタオル等が置けるスペースが確保されている。ここで、パウチ仮置き台７５が汚物流し部１１０の上面開口部であるリップ部１１１よりも上方に設けられているので、下痢などの場合であっても汚物がパウチ仮置き台７０に付着することはなく衛生性を確保でき、また汚物流し部１１０からの洗浄水のはね返りによる汚染を防ぐこともできる。また、パウチ仮置き台７５は、シャワー水栓１２０よりも上方に位置しているので、シャワー水栓１２０からの吐水が不用意にも垂れたり掛かってしまったりすることがなく、交換用の面板やパウチ、タオル等を置くのに最適であり、その結果、新しいパウチやタオルを安心して置いておくことができる。また、パウチ仮置き台７５は昇降動作に追従し、オストメイトがストーマの洗浄中や洗浄直後に新しいパウチやタオルを容易に取ることができるので、オストメイト用汚物流しユニット６の使い勝手が良くなり、排泄処理の作業効率の向上を実現している。
【００９８】
さらには、シャワー水栓１２０の吐水部１２５が水栓取り付け部１２１に取り付いている状態において、吐水部１２５の吐水口高さよりも高い位置にパウチ仮置き台７５を設ければ、より衛生性を高めることができ好ましい。
【００９９】
また、昇降動作によってリップ部１１１の高さ位置は、上限位置Ｈから下限位置Ｌまで変化可能である（図１４参照）。すなわち、オストメイト各個人の体格や手術部の位置によってそれぞれ異なるストーマ位置に対応して、リップ部１１１の高さを各個人の使いやすい高さに変えられるため、オストメイト各個人に楽な姿勢での排泄処理作業を実現し、作業効率の向上を実現できる。
【０１００】
電気温水器２７０からの温水と水道水を混合する湯水混合部１２４は、パネルプレート１００の背面に固定されており、湯温流調調整ノブ１２３の操作によって調整された洗浄水を吐水部１２５に送る。湯水混合部１２４は、温水及び水道水の配管接続部と混合部そして混合水（洗浄水）を排出する排出口を有するため比較的大きな形状を有するものであるが、このように湯水混合部１２４をパネルプレート１００の背面に隠蔽することによって、オストメイトの排泄処理における作業スペースを確保できる。すなわち、オストメイトは排泄処理時にリップ部１１１にストーマ下を押し付け前屈みになって作業を行い、オストメイトの頭部がパネルプレート１００に接近することになるが（図１６参照）、シャワー水栓１２０がオストメイトの胸や顔にぶつかったり視線の邪魔になったりすることがなく、作業効率の向上を実現できる。
【０１０１】
また、水栓取り付け部１２１および吐水部１２５と湯温流調調整ノブ１２３とは、汚物流し部１１０の中央に対して左右に分かれて配置している。これにより、オストメイトの頭部が最も存在し得る汚物流し部１１０の中央上方において、パネルプレート１００前面に突出する器具類が無いことになり、より作業スペースを確保し作業効率の向上を実現できる。
【０１０２】
ここで、吐水部１２５は水栓取り付け部１２１から引き出し可能となっており、オストメイトが服を脱いでストーマやストーマ周辺を洗ったり、汚物流し部１１０内部を局所的に洗浄するのに適している。吐水部１２５が水栓取り付け部１２１に装着されている状態では、吐水部１２５は洗浄水が汚物流し部１１０内に落下するよう若干前向きに傾斜して設置されており、オストメイトが装着していたパウチを外してパウチ内を洗浄するのに適している。また、予期せぬ方向に洗浄水が吐水することがなく、衛生上好ましいと共に、安心した作業が確保されている。
【０１０３】
また、ストーマからの汚物排出中においてオストメイトの体調によって例えば下痢の際など汚物がストーマから勢い良く飛び出すことがあり、洗い方によっては周囲に飛び散ることもあるが、シャワー水栓１２０は汚物流し部１１０より上方に配置されているので、このような場合であっても汚物がシャワー水栓１２０に付着することはなく、衛生性を確保できる。
【０１０４】
またこのとき、従来構造のオストメイト用汚物流しユニットのように汚物流し部を備えたテーブルが水平方向に支持された状態で昇降するようになっていると、汚物がテーブル上面に付着して乾燥してしまい、特にパブリックスペースにおいて使用する頻度の高いオストメイト用汚物流しユニットとしては衛生上好ましくない。しかしながら、本実施形態のようなオストメイト用汚物流しユニット２のようにパネルプレート１００の前面がほぼ鉛直方向に沿って延在する構成にすると、パネルプレート１００に汚物が付着しにくく、衛生的でありパブリックスペースにおいて特に好適に使用できる。
【０１０５】
また、電気温水器２７０を備えており、シャワー水栓１２０には温水が供給され、オストメイトの好みに応じた湯温の洗浄水を供給できる。パウチ内やストーマ廻りを洗浄するとき、体液を含む汚物を洗い流すには温水が有効であり、汚物を洗浄する洗浄能力を向上させ、排泄処理時間の短縮を実現できる。また、冬場の使用を考慮すると、温水を利用できることは、オストメイトにとって非常に有益である。
【０１０６】
このとき、電気温水器２７０の出湯口２７１は、温水混合部１２４の給湯接続部（図示せず）の昇降上限位置と昇降下限位置とのほぼ中間に位置する高さに配置されるのが好ましい。このようにすることで、温水混合部１２４がパネルプレート１００と共に上限位置と下限位置で昇降移動するにも係わらず、温水混合部１２４と出湯口２７１とを連結する可撓性ホースの長さを最小限にすることができ、ホースを通過するときの温水の温度低下を最小限に抑えることができるため、効率よく、又、冬場においても快適にシャワーを使用することができる。
【０１０７】
このように、本発明の第四の実施形態にかかるオストメイト用汚物流しユニット６によると、利用者の使いやすい高さに汚物流し部１１０を調整することで排泄処理の作業効率を高め、シャワー水栓１２０を汚物流し部１１０の上方に配置することで衛生性を確保すると共に湯水混合部１２４をパネルプレート１１０の背面に取り付けることで作業スペースを確保することにより作業効率を高め、パウチ仮置き台７５をシャワー水栓１２０上方の奥まった位置に設けることで衛生性の高いドライエリアを確保すると共に視線や作業スペースを確保し、オストメイトは排泄処理を効率よく安心して行うことができる。
【０１０８】
以上、本発明の実施例について説明した。本発明は、これらに限定されるものではなく、オストメイト用汚物流しユニットを構成するいずれかの要素について当業者が設計変更を加えたものであっても、本発明の要旨を備えたものであれば、本発明の範囲に包含される。
例えば、本発明にかかるオストメイト用汚物流しユニットの各構成要素の材質は、上述した実施形態に記載された材質には限定されず、例えば汚物流し部の材質は陶器の代わりにプラスチック等であっても構わない。
また、パネルプレートは厳密な意味で垂直方向に昇降する必要はなく、垂直に近い斜め方向に昇降しても構わない。
【図面の簡単な説明】
【０１０９】
【図１】本発明の第一の実施形態にかかるオストメイト用汚物流しユニットの斜視図である。
【図２】図１に示したオストメイト用汚物流しユニットが昇降上限位置にある状態での前面パネルを一部破断して示す正面図である。
【図３】図１に示したオストメイト用汚物流しユニットの側面図である。
【図４】図１に示したオストメイト用汚物流しユニットの仮置き台が折りたたまれた状態を示す斜視図である。
【図５】本発明の第二の実施形態にかかるオストメイト用汚物流しユニットの斜視図である。
【図６】本発明の第三の実施形態にかかるオストメイト用汚物流しユニットの斜視図である。
【図７】図６に示したオストメイト用汚物流しユニットが昇降上限位置にある状態での前面パネルを一部破断して示す正面図である。
【図８】図６に示したオストメイト用汚物流しユニットが昇降上限位置にある状態での側面パネルを一部破断して示す側面図である。
【図９】図６に示したオストメイト用汚物流しユニットのシャワー水栓のホースを引き出して洗浄水を流した状態を示す斜視図である。
【図１０】本発明の第三の実施形態にかかるオストメイト用汚物流しユニットの第１変形例の斜視図である。
【図１１】図１０に示したオストメイト用汚物流しユニットの仮置き台が折りたたまれた状態を示す斜視図である。
【図１２】本発明の第三の実施形態にかかるオストメイト用汚物流しユニットの第２変形例の斜視図である。
【図１３】本発明の第四の実施形態にかかるオストメイト用汚物流しユニットの斜視図である。
【図１４】図１３に示したオストメイト用汚物流しユニットの正面図である。
【図１５】図１３に示したオストメイト用汚物流しユニットの側面図である。
【図１６】オストメイトがストーマ廻りの洗浄動作を行っている状態を示す模式図である。
【符号の説明】
【０１１０】
１ オストメイト用汚物流しユニット
２ オストメイト用汚物流しユニット
３ オストメイト用汚物流しユニット
４ オストメイト用汚物流しユニット
５ オストメイト用汚物流しユニット
６ オストメイト用汚物流しユニット
７０ パウチ仮置き台
７１ パウチ仮置き台
７２ パウチ仮置き台
７５ パウチ仮置き台
８０ パウチ仮置き台支持部
１００ パネルプレート
１０２ フラッシュバルブ操作部側端部
１１０ 汚物流し部
１１１ リップ部
１１２ 汚物流し用洗浄管
１２０ シャワー水栓
１２１ 水栓取り付け部
１２２ ホース
１２３ 湯温流量調整ノブ
１２４ 湯水混合部
１２５ 吐水部
１３０ シャワー付き水栓
１３１ 固定水栓
１３２ シャワー
１３３ 湯温調整ノブ
１３４ 切り替えノブ
１３５ シャワー取り付け部
１５１ 洗浄ボタン
１５５ ペーパーホルダー
１５６ トイレットペーパー
１６０ 膨張水排出管
２００ 装置本体
２０１ 天板
２３０ 前面左側部
２３１ フック
２４０ ガイド支持部
２４５ 水圧シリンダ
２４７ 排水管
２５０ フラッシュバルブ
２５２ 配管
２６０ バキュームブレーカ
２７０ 電気温水器
２７１ 出湯口
２８０ 水石鹸用タンク
【図１】
2008092993.tif 000003
【図２】
2008092993.tif 000004
【図３】
2008092993.tif 000005
【図４】
2008092993.tif 000006
【図５】
2008092993.tif 000007
【図６】
2008092993.tif 000008
【図７】
2008092993.tif 000009
【図８】
2008092993.tif 000010
【図９】
2008092993.tif 000011
【図１０】
2008092993.tif 000012
【図１１】
2008092993.tif 000013
【図１２】
2008092993.tif 000014
【図１３】
2008092993.tif 000015
【図１４】
2008092993.tif 000016
【図１５】
2008092993.tif 000017
【図１６】
2008092993.tif 000018